(57)【要約】【課題】大型なトイレットペーパーロールを用いる場合でもトイレットペーパーを円滑に引き出し可能なトイレットペーパーホルダを提供する。【解決手段】軸心を水平にしてトイレットペーパーロール３を収容する収容ケース４と、収容ケース４に収容されるトイレットペーパーロール３と軸心を略平行にして収容ケース４に回転自在に設けられ、トイレットペーパーロール３の使用初期から使用中期において、トイレットペーパーロール３を下側から回転自在に支持する１対の第１ローラ５と、第１支持ローラ５間の第１ローラ５よりも一段低い位置に、軸心を第１ローラ５と略平行にして収容ケース４に回転自在に設けられ、トイレットペーパーロール３の使用中期から使用終期において、トイレットペーパーロール３を下側から回転自在に支持する、第１ローラ５よりも小径の１対の第２ローラ６とを備えた。【選択図】図６
2007097679.tif 000002
【特許請求の範囲】
【請求項１】
軸心を水平にしてトイレットペーパーロールを収容する収容ケースと、
前記収容ケースに収容されるトイレットペーパーロールと軸心を略平行にして収容ケースに回転自在に設けられ、トイレットペーパーロールの使用初期から使用中期において、トイレットペーパーロールを下側から回転自在に支持する１対の第１ローラと、
前記第１支持ローラ間の第１ローラよりも一段低い位置に、軸心を第１ローラと略平行にして収容ケースに回転自在に設けられ、トイレットペーパーロールの使用中期から使用終期において、トイレットペーパーロールを下側から回転自在に支持する、第１ローラよりも小径の１対の第２ローラと、
を備えたことを特徴とするトイレットペーパーホルダ。
【請求項２】
前記トイレットペーパーロールの軸心が、収容ケースを取り付ける壁面に対して略垂直になるようにトイレットペーパーロールを収容ケースに収容した請求項１記載のトイレットペーパーホルダ。
【請求項３】
前記第２ローラ間の隙間をトイレットペーパーロールの芯材が通過可能なサイズに設定した請求項１又は２記載のトイレットペーパーホルダ。
【請求項４】
前記トイレットペーパーロールから第２ローラ間を通って下側へトイレットペーパーを引出可能に構成した請求項１〜３のいずれか１項記載のトイレットペーパーホルダ。
【発明の詳細な説明】
【技術分野】
【０００１】
本発明は、大型なトイレットペーパーロールを収容するのに好適なトイレットペーパーホルダに関するものである。
【背景技術】
【０００２】
トイレットペーパーホルダとして、トイレットペーパーロールの中央部に心棒を挿入し、この心棒を中心にトイレットペーパーロールを回転自在に支持するように構成したものが、構造が簡単で安価に製作できることから広く普及している。しかし、このトイレットペーパーホルダでは、トイレットペーパーロールの交換時に、トイレットペーパーロールから心棒を抜き取る必要があり、トイレットペーパーロールの交換作業が煩雑になること、回転抵抗が少ないことから、トイレットペーパーの引き出し時にトイレットペーパーロールに作用する回転方向の慣性により、トイレットペーパーロールがトイレットペーパーの引き出し速度以上に回転して、トイレットペーパーが絡まること、などの問題があった。
【０００３】
そこで、トイレットペーパーロールを容易に交換可能なトイレットペーパーホルダとして、軸心を水平にしてトイレットペーパーロールを収容する収容ケースと、収容ケースに収容されるトイレットペーパーロールと軸心を略平行にして収容ケースに回転自在に設けられ、トイレットペーパーロールを下側から回転自在に支持する１対の支持ローラとを備え、収容ケースに対して上方よりトイレットペーパーロールを投入することで、トイレットペーパーロールを容易に交換できるように構成したものも提案されている（例えば、特許文献１参照。）。
【０００４】
一方、トイレットペーパーの使用量の多い公共施設や遊戯施設などのトイレでは、トイレットペーパーロールを頻繁に交換する必要があり、その作業が煩雑であることから、最近では直径約１１０ｍｍの標準的なトイレットペーパーロールに代わって、直径が２００ｍｍ以上の大型なトイレットペーパーロールが普及しつつある。
【０００５】
【特許文献１】特開平７−３１５５７号公報
【発明の開示】
【発明が解決しようとする課題】
【０００６】
特許文献１記載のトイレットペーパーホルダでは、使用初期から使用終期までの間において同一直径の支持ローラでトイレットペーパーロールを支持する関係上、トイレットペーパーの引き出し抵抗は、トイレットペーパーロールの使用初期が最も大きく、使用終期にかけて漸次減少することになる。このような使用初期と使用終期とにおける引き出し抵抗の差は、小型なトイレットペーパーロールを用いる場合にはあまり問題になることはないが、大型なトイレットペーパーロールを用いる場合には、次のような問題がある。即ち、使用初期において最適な引き出し抵抗が得られるように支持ローラの直径を大きく設定すると、使用終期においてトイレットペーパーロールが支持ローラ上を空転して、トイレットペーパーが絡まるという問題があり、使用終期において最適な引き出し抵抗が得られるように支持ローラの直径を小さくすると、使用初期においてトイレットペーパーの引き出し抵抗が大きくなり過ぎて、トイレットペーパーを引き出すときにトイレットペーパーが切れてしまうという問題が発生する。
【０００７】
本発明の目的は、大型なトイレットペーパーロールを用いる場合でもトイレットペーパーを円滑に引き出し可能なトイレットペーパーホルダを提供することである。
【課題を解決するための手段】
【０００８】
本発明に係るトイレットペーパーホルダは、軸心を水平にしてトイレットペーパーロールを収容する収容ケースと、前記収容ケースに収容されるトイレットペーパーロールと軸心を略平行にして収容ケースに回転自在に設けられ、トイレットペーパーロールの使用初期から使用中期において、トイレットペーパーロールを下側から回転自在に支持する１対の第１ローラと、前記第１支持ローラ間の第１ローラよりも一段低い位置に、軸心を第１ローラと略平行にして収容ケースに回転自在に設けられ、トイレットペーパーロールの使用中期から使用終期において、トイレットペーパーロールを下側から回転自在に支持する、第１ローラよりも小径の１対の第２ローラとを備えたものである。
【０００９】
このトイレットペーパーホルダでは、トイレットペーパーロールの使用初期から使用中期においては、トイレットペーパーロールを１対の第１ローラで回転自在に支持し、使用中期から使用終期においては、トイレットペーパーロールを１対の第２ローラで回転自在に支持した状態で、第１ローラ又は第２ローラ上でトイレットペーパーロールを回転させながらトイレットペーパーを引き出して、トイレットペーパーを使用することになる。また、トイレットペーパーロールの使用中期から使用終期においてトイレットペーパーロールを支持する第２ローラの直径が、使用初期から使用中期においてトイレットペーパーロールを支持する第１ローラよりも小径に構成され、トイレットペーパーロールの重量が大きいときには、大径の第１ローラでトイレットペーパーロールを支持し、トイレットペーパーロールの重量が小さくなると、小径の第２ローラでトイレットペーパーロールを支持できるので、第１及び第２ローラに対するトイレットペーパーロールの面圧を一様に設定することが可能となり、トイレットペーパーをトイレットペーパーロールから引き出すときの、引き出し抵抗を一様に設定することができる。特に、直径が２００ｍｍ以上の大型なトイレットペーパーロールにおいては、使用初期においてトイレットペーパーが切れることを防止でき、使用終期においてトイレットペーパーが絡まることを防止できるので、使用初期から使用終期にわたって円滑にトイレットペーパーを引き出すことが可能となる。尚、本発明は、直径の異なる２組のローラでトイレットペーパーロールを順次支持させるように構成する以外に、内側へ行くにしたがって小径になるように構成した３組以上のローラを設け、これら３組以上のローラでトイレットペーパーロールを順次支持させるように構成して、トイレットペーパーの引き出し抵抗がより一層一様になるように構成することもできる。
【００１０】
ここで、前記トイレットペーパーロールの軸心が、収容ケースを取り付ける壁面に対して略垂直になるようにトイレットペーパーロールを収容ケースに収容すること、前記第２ローラ間の隙間をトイレットペーパーロールの芯材が通過可能なサイズに設定すること、前記トイレットペーパーロールから第２ローラ間を通って下側へトイレットペーパーを引出可能に構成すること、などが好ましい実施の形態である。
【発明の効果】
【００１１】
本発明に係るトイレットペーパーホルダによれば、直径の異なる２種類のローラを用いてトイレットペーパーロールを順次支持することで、トイレットペーパーの引き出し抵抗を一様に設定できるので、大型のトイレットペーパーロールを用いる場合でも、使用初期においてトイレットペーパーが切れたり、使用終期においてトイレットペーパーが絡まったりすることを効果的に防止でき、使用初期から使用終期にわたって円滑にトイレットペーパーを引き出すことが可能となる。また、トイレットペーパーロールを１対のローラで下側から支持するので、トイレットペーパーロールの交換時には、軸心を略水平にしてトイレットペーパーロールを収容ケース内に投入するだけでよく、従来のトイレットペーパーホルダとは異なり心棒を差し替える必要がないので、容易にトイレットペーパーロールを交換することができる。
【００１２】
トイレットペーパーロールとして、標準サイズのトイレットペーパーロールよりも大きな直径の大型なものを使用する場合において、標準サイズのトイレットペーパーロールと同様にトイレの壁面と軸心が略平行になるようにトイレットペーパーロールを設けると、収容ケースがトイレ室側に突出して邪魔になるので、トイレットペーパーロールの軸心が、収容ケースを取り付ける壁面に対して略垂直になるようにトイレットペーパーロールを収容ケースに収容し、トイレ室内への突出量を極力少なくすることが好ましい。
【００１３】
また、前記第２ローラ間の隙間をトイレットペーパーロールの芯材が通過可能なサイズに設定すると、使用済みのトイレットペーパーロールの芯材を第２ローラ間の隙間から容易に外部へ排出することができる。
【００１４】
更に、トイレットペーパーの引き出し方向は、略水平に設定することもできるが、トイレットペーパーロールから第２ローラ間を通って下側へトイレットペーパーを引出可能に構成すると、第２ローラを、トイレットペーパーをその引き出し方向に案内するローラとして兼用することが可能となり、構成部品点数を増やすことなくトイレットペーパーを円滑に引き出し口側へ案内することができる。
【発明を実施するための最良の形態】
【００１５】
以下、本発明の実施の形態について図面を参照しながら説明する。
図１〜図７に示すように、トイレットペーパーホルダ１は、それをトイレの壁面２に対して取り付けた状態を基準に前後左右を定義して説明すると、軸心を前後方向（トイレットペーパーホルダ１を固定設置するトイレの壁面２に垂直な方向）にしてトイレットペーパーロール３を収容する収容ケース４と、軸心を前後方向にして収容ケース４に回転自在に設けられ、トイレットペーパーロール３の使用初期から使用中期において、トイレットペーパーロール３を下側から回転自在に支持する１対の第１ローラ５と、第１ローラ５間において第１ローラ５よりも一段低い位置に、軸心を前後方向にして収容ケース４に回転自在に設けられ、トイレットペーパーロール３の使用中期から使用終期において、トイレットペーパーロール３を下側から回転自在に支持する、第１ローラ５よりも小径の１対の第２ローラ６とを備えている。
【００１６】
トイレットペーパーロール３は、図１、図６、図７に示すように、帯状のトイレットペーパー３ａを芯材３ｂに対して巻きつけたものである。トイレットペーパー３ａの幅は任意に設定可能であるが８０ｍｍ〜１００ｍｍのものが使い勝手が良いので好適である。また、芯材３ｂに対して巻き付けるトイレットペーパー３ａの長さは任意に設定可能であるが、本発明のトイレットペーパーホルダ１は、大径で大型なトイレットペーパーロール３を収容するのに好適であることから、トイレットペーパーロール３の直径が２５０ｍｍ〜２７０ｍｍになるようにトイレットペーパー３ａを芯材３ｂに巻き付けたものを採用できる。更に、芯材３ｂを備えていないトイレットペーパーロールに対しても本発明を適用できるし、一定間隔おきにミシン目を形成して、容易に切り取れるように構成したトイレットペーパーを巻装したトイレットペーパーロールを採用することも可能である。
【００１７】
収容ケース４は、図１〜図７に示すように、軸心を前後方向にしてトイレットペーパーロール３を収容可能なケース本体１０と、図１に実線で図示の開蓋状態と図２に図示の閉蓋状態とにケース本体１０に開閉自在に支持された開閉蓋１１とを備えている。ケース本体１０は、前部ケース１０Ａと後部ケース１０Ｂとに分割構成されている。ケース本体１０は、トイレットペーパーロール３よりもやや大きい直径の円板状の本体部１２ａ、１３ａに下側へ延びる裾部１２ｂ、１３ｂをそれぞれ形成した前壁部１２及び後壁部１３と、トイレットペーパーロール３の幅よりもやや広い幅で、本体部１２ａ、１３ａの下半部の左右両側部と裾部１２ｂ、１３ｂの左右両側部に連なって延びる左右の側壁部１４を備えている。開閉蓋１１は、内側へ向けて開口させた断面略コ字状の半円弧状の部材で構成され、外縁部を本体部１２ａ、１３ａにおける半円形の上半部の外縁部と、左右の側壁部１４の上縁部とにそれぞれ嵌合させて、ケース本体１０に組み合わせ可能に構成されている。
【００１８】
図２、図３、図５（ａ）、図６、図８に示すように、ケース本体１０の左側の側壁部１４の上端部には前後方向に延びるヒンジ筒部１５が形成され、ヒンジ筒部１５には左方へ向けて開口するスリット１６が形成されている。開閉蓋１１の左端部には前後方向に細長いヒンジピン部１７が一体形成され、このヒンジピン部１７は、断面略小判型で且つ平坦な２面間の距離が開閉蓋１１を開放した状態で、下側へ行くにしたがって小さくなるように形成されている。そして、ケース本体１０に開閉蓋１１を組み付ける際には、図８に示すように、開閉蓋１１を全開直前まで開放させた状態で、ヒンジ筒部１５を弾性変形させながらヒンジピン部１７を幅狭側からスリット１６に圧入し、ヒンジピン部１７をヒンジ筒部１５内に嵌合させて、ケース本体１０に開閉蓋１１を相対回転自在で且つ脱落不能に組み付けることになる。このように、ヒンジ筒部１５をケース本体１０に一体成形し、またヒンジピン部１７を開閉蓋１１に一体形成しているので、部品点数を増やすことなく、開閉蓋１１をケース本体１０に回転自在に支持できる。また、ヒンジ筒部１５は、前部ケース１０Ａと後部ケース１０Ｂとにそれぞれ形成され、ヒンジ筒部１５にヒンジピン部１７を嵌合させた状態で、ヒンジピン部１７により前部ケース１０Ａと後部ケース１０Ｂとが結合されることで、両ケース１０Ａ、１０Ｂが一層強固に組み付けられるように構成されている。
【００１９】
図１、図３、図５（ｂ）、図９に示すように、開閉蓋１１の遊端側の後部には板バネがからなる操作部材２０が下方へ突出状に設けられ、操作部材２０の端部には操作突部２１が形成されている。ケース本体１０の右側壁部１４の後部には、操作突部２１が嵌合する係止孔２２が形成され、閉蓋状態において操作突部２１が操作部材２０の弾性により係止孔２２に嵌合することで、開閉蓋１１が閉蓋状態に保持され、係止孔２２を通じて操作突部２１を指でケース本体１０内に押し込むことで、係止孔２２と操作突部２１の係合を解除して開閉蓋１１を開放できるように構成されている。
【００２０】
図３、図６、図７に示すように、トイレの壁面２には取付板２５が固定され、ケース本体１０は取付板２５に着脱可能に取付けられている。ケース本体１０の後壁部１３の上部及び途中部には左右１対の係合孔２６が形成され、取付板２５の上部及び下端部には係合孔２６に下側から係合する４つの爪部２７が形成されている。係合孔２６間においてケース本体１０の後壁部１３には小判型のロック孔２８が形成され、２つの爪部２７間において取付板２５には下端側を遊端となした略鍵穴形状のロック片２９が形成され、ロック片２９は下端側が前方へ突出するように折曲され、ケース本体１０を取付板２５に取り付けた状態で、ロック片２９がロック孔２８に挿入されてその下端部がロック孔２８の口縁に係合可能に対面するように構成されている。したがって、ケース本体１０を取付板２５に一旦取り付けると、ケース本体１０の内側からロック片２９を押し操作してロック片２９とロック孔２８との係合を解除しながら、ケース本体１０を取付板２５から取り外さない限り、ロック片２９の下端部が係合孔２６の口縁に係合することで、ケース本体１０を取付板２５から取り外せないように構成されている。
【００２１】
図３、図６、図７に示すように、ケース本体１０の裾部１２ｂ、１３ｂにはトイレットペーパーロール３の使用初期から使用中期において、トイレットペーパーロール３を下側から回転自在に支持する左右１対の第１ローラ５が軸心を前後方向にして回転自在に設けられるとともに、第１ローラ５間において第１ローラ５よりも一段低い位置に、トイレットペーパーロール３の使用中期から使用終期において、トイレットペーパーロール３を下側から回転自在に支持する、第１ローラ５よりも小径の左右１対の第２ローラ６が、軸心を前後方向にして収容ケース４に回転自在に設けられている。
【００２２】
第１ローラ５及び第２ローラ６は、トイレットペーパーロール３を支持する円筒状のローラ本体３０と、ローラ本体３０を支持する支軸部３１とを備えた合成樹脂材料からなる一体成形品でそれぞれ構成され、ローラ本体３０の前後両端部にはトイレットペーパーロール３の前後方向の移動を規制する鍔部３２が形成されている。ローラ本体３０と支軸部３１とは別部材で構成することも可能であるが、このように一体成形品で構成することで、部品点数を少なくしてトイレットペーパーホルダ１の製作コストを低減できるので好ましい。
【００２３】
ケース本体１０の前後の裾部１２ｂ、１３ｂには第１ローラ５及び第２ローラ６の支軸部３１の端部をそれぞれ支持する筒状の４つの軸受部３３が内側へ向けて突出状にそれぞれ一体的に形成され、第１ローラ５及び第２ローラ６はその支軸部３１の端部を軸受部３３に内嵌させてケース本体１０に回転自在に支持されている。
【００２４】
第１ローラ５と第２ローラ６との上下左右の位置関係は、トイレットペーパーロール３がその使用初期から使用中期において左右１の第１ローラ５で受け止められ、トイレットペーパーロール３の直径が、未使用時におけるトイレットペーパーロール３の直径の４０％〜６０％になると、第１ローラ５から第２ローラ６へ受け渡されて、トイレットペーパーロール３がその使用中期から使用終期において左右１対の第２ローラ６で受け止められるような位置関係に設定されている。
【００２５】
図６に示すように、左右の第１ローラ５に関して、支持するトイレットペーパーロール３の使用初期における中心Ｐａと左右の第１ローラ５の中心Ｐ１とを結ぶ線分のなす角度θ１は６０°〜７０°に設定され、使用中期における中心Ｐｂと左右の第１ローラ５の中心Ｐ１とを結ぶ線分のなす角度θ２は７０°〜１００°になるように設定され、第１ローラ５に作用するトイレットペーパーロール３の荷重をバランスよく受け止めることができるように構成されている。また、左右の第２ローラ６に関して、支持するトイレットペーパーロール３の使用中期における中心Ｐｂと左右の第２ローラ６の中心Ｐ２とを結ぶ線分のなす角度θ３は４０°〜１２０°に設定され、使用後期における中心Ｐｃと左右の第２ローラ６の中心Ｐ２とを結ぶ線分のなす角度θ４は１５０°〜１６０°になるように設定され、第２ローラ６に作用するトイレットペーパーロール３の荷重をバランスよく受け止めることができるように構成されている。左右の第２ローラ６間の隙間Ｗは、トイレットペーパーロール３の芯材３ｂの直径Ｄよりもやや小さく設定され、トイレットペーパーロール３がなくなると、芯材３ｂのみが左右の第２ローラ６間に支持されるように構成されている。但し、左右の第２ローラ６間の隙間Ｗを芯材３ｂの直径Ｄよりもやや大きく設定して、トイレットペーパーロール３を使い切った状態で、芯材３が左右の第２ローラ６間を通って下側へ排出されるように構成することも可能である。
【００２６】
第２ローラ６の直径Ｄ２は第１ローラ５の直径Ｄ１の６０％〜９０％に設定され、第１ローラ５と第２ローラ６に作用するトイレットペーパーロール３の面圧が一様になるように設定され、トイレットペーパー３ａの引き出し抵抗が一様になるように構成されている。
【００２７】
第１ローラ５の斜め上側と、第１ローラ５と第２ローラ６間にはペーパーガイド３４が設けられ、トイレットペーパー３ａの端部は、このペーパーガイド３４により左右の第２ローラ６間へ案内され、第２ローラ６の外周に沿って下側へ繰り出される。第２ローラ６の下方においてケース本体１０の前後の裾部１２ｂ、１３ｂにはカッター保持部３５それぞれ設けられ、このカッター保持部３５には第２ローラ６間から下側へ繰り出されたトイレットペーパー３ａをカットするためのカッター３６が取付けられている。このカッター３６は合成樹脂材料で構成され、万一手指がカッター３６に接触しても、手指を傷つけないように構成されている。左右の第２ローラ６の下方にカッター３６をそれぞれ設けることで、トイレットペーパー３ａをトイレットペーパーホルダ１の右側へ引っ張った場合でも、左側へ引っ張った場合でも、トイレットペーパー３ａを切り取ることができるように構成されている。前側の裾部１２ｂには繰り出したトイレットペーパー３ａの端部を目で確認できるように切欠部３７が形成され、利用者がトイレットペーパーロール３の端部を摘まんで、トイレットペーパー３ａを容易に繰り出せるように構成されている。トイレットペーパー３ａの繰り出し方向は、任意に設定可能で、ケース本体１０の右側又は左側に繰り出すように構成することも可能である。尚、符号３８は、収容ケース４に収容されているトイレットペーパーロール３の残量を目視するための透視窓である。
【００２８】
次に、トイレットペーパーホルダ１の使用方法について説明する。
先ず、トイレットペーパーホルダ１をトイレの壁面２に固定する際には、図７に示す用に、爪部２７が上側を向くように取付板２５をトイレの壁面２に固定することになる。具体的には、既設のトイレットペーパーホルダ１に代えて本発明のトイレットペーパーホルダ１をトイレの壁面２に組み付ける場合には、既設のトイレットペーパーホルダを取り除き、該トイレットペーパーホルダ固定用の埋込みナットを利用して取付板２５を固定し、新設したトイレにトイレットペーパーホルダ１を取り付ける場合には、トイレの壁面２に直接的に取付板２５を固定するか、トイレの壁面２に埋込みナットを固定して、この埋込みナットに取付板２５を固定することになる。
【００２９】
次に、取付板２５に対してトイレットペーパーホルダ１を組み付ける。このとき、取付板２５の爪部２７をトイレットペーパーホルダ１の係合孔２６に上方より係合させるとともに、取付板２５のロック片２９をトイレットペーパーホルダ１のロック孔２８に嵌合させて、取付板２５に対してトイレットペーパーホルダ１を組み付けることになる。この状態で、トイレットペーパーホルダ１は爪部２７により下側から支持され、またロック片２９の下端部がロック孔２８の口縁下端に係合することで、上方への移動が規制され、取付板２５から取り外せないように組付けられる。また、トイレットペーパーホルダ１を取付板２５から取り外す際には、開閉蓋１１を開けてロック片２９を指で押し操作しながら、トイレットペーパーホルダ１を持ち上げて取り外すことになる。
【００３０】
また、トイレットペーパーホルダ１にトイレットペーパーロール３を装填する際には、操作突部２１を押し操作して開閉蓋１１を開放し、トイレットペーパー３ａの端部が左右の第２ローラ６間から下側へ繰り出されるように、トイレットペーパーロール３をケース本体１０内に装填し、開閉蓋１１を閉蓋することになる。
【００３１】
更に、トイレットペーパー３ａを使用する際には、ケース本体１０の下端の切欠部３７を通してトイレットペーパー３ａの端部を確認しながら、トイレットペーパー３ａの端部を指で摘まみ、必要量のトイレットペーパー３ａを繰り出し、カッター３６でカットして使用することになる。このとき、トイレットペーパーロール３は、その使用初期から使用中期においては、左右の第１ローラ５に支持されて、第１ローラ５とともに回転し、また使用中期から使用終期においては、第１ローラ５よりも小径の左右の第２ローラ６で支持されて、第２ローラ６とともに回転することになる。このように、直径の異なる第１ローラ５と第２ローラ６とでトイレットペーパーロール３を段階的に支持するので、第１ローラ５及び第２ローラ６に対するトイレットペーパーロール３の面圧を一様に設定して、使用初期から使用終期にわたって、トイレットペーパー３ａの引き出し抵抗を一定に設定して、円滑にトイレットペーパー３ａを繰り出すことができる。
【００３２】
こうして、トイレットペーパー３ａを使い切ると、芯材３ｂが左右の第２ローラ６上に支持され、前記と同様に開閉蓋１１を開いて、芯材３ｂを取り除いた後、新しいトイレットペーパーロール３をトイレットペーパーホルダ１に装填することになる。
【００３３】
尚、前記左右の第２ローラ６を、トイレットペーパーロール３の芯材３ｂの直径よりも接近させた使用位置と、芯材３ｂの直径よりも離間させた排出位置とに接近離間するための操作手段を設け、使用位置でトイレットペーパーロール３を回転自在に支持して、トイレットペーパー３ａを使用可能となし、トイレットペーパー３ａを使い切ったときには、第２ローラ６を排出位置へ移動させて、第２ローラ６上に支持されているトイレットペーパーロール３の芯材３ｂを下側へ排出できるように構成することも可能である。
【００３４】
尚、本実施の形態では、直径の異なる２組のローラ５、６でトイレットペーパーロール３を順次支持するように構成したが、内側へ行くにしたがって小径になるように構成した３組以上のローラでトイレットペーパーロール３を順次支持させるように構成し、トイレットペーパー３ａの引き出し抵抗がより一層一様になるように構成することもできる。具体的には、左右の第２ローラ６の内側の一段低い位置に第２ローラ６よりも小径の第３ローラを回転自在に設けて、第２ローラ６に代えて第３ローラで使用終期付近のトイレットペーパーロール３を回転自在に支持することができる。
【図面の簡単な説明】
【００３５】
【図１】トイレットペーパーホルダの開蓋状態での斜視図
【図２】トイレットペーパーホルダの閉蓋状態での斜視図
【図３】トイレットペーパーホルダの分解斜視図
【図４】トイレットペーパーホルダの正面図
【図５】トイレットペーパーホルダの（ａ）は左側面図（ｂ）は右側面図
【図６】図５のVI-VI線断面図
【図７】図４のVII-VII線断面図
【図８】ヒンジ筒部に対するヒンジピン部の組付方法を示す縦断面図
【図９】図５のIX-IX線断面図
【符号の説明】
【００３６】
１      トイレットペーパーホルダ    ２      壁面
３      トイレットペーパーロール    ３ａ    トイレットペーパー
３ｂ    芯材                        ４      収容ケース
５      第１ローラ                  ６      第２ローラ
１０    ケース本体                  １０Ａ  前部ケース
１０Ｂ  後部ケース                  １１    開閉蓋
１２    前壁部                      １２ａ  本体部
１２ｂ  裾部                        １３    後壁部
１３ａ  本体部                      １３ｂ  裾部
１４    側壁部                      １５    ヒンジ筒部
１６    スリット                    １７    ヒンジピン部
２０    操作部材                    ２１    操作突部
２２    係止孔                      ２５    取付板
２６    係合孔                      ２７    爪部
２８    ロック孔                    ２９    ロック片
３０    ローラ本体                  ３１    支軸部
３２    鍔部                        ３３    軸受部
３５    カッター保持部              ３６    カッター
３７    切欠部                      ３８    覗窓
【図１】
2007097679.tif 000003
【図２】
2007097679.tif 000004
【図３】
2007097679.tif 000005
【図４】
2007097679.tif 000006
【図５】
2007097679.tif 000007
【図６】
2007097679.tif 000008
【図７】
2007097679.tif 000009
【図８】
2007097679.tif 000010
【図９】
2007097679.tif 000011